(57)【要約】【課題】所定の２以上のコンテンツを１つの結合コンテンツに結合した場合であっても、その結合コンテンツを構成する所定の２以上のコンテンツへの直接的なアクセスが可能なデータ記録装置を提供する。【解決手段】ステップＳ０１０５において、管理情報ファイル内のコンテンツ記録数がコンテンツ制限数に達しているかを判断する。コンテンツ記録数がコンテンツ制限数に達している場合には、ステップＳ０１０６において、結合されるコンテンツの管理情報及び結合位置情報をコンテンツ結合管理情報ファイルに格納して、そのコンテンツ結合管理情報ファイルを記録メディアに記録する。その後、結合コンテンツへの結合を行い、その結合した結合コンテンツを記録メディアに記録する。【選択図】図１
2008117467.tif 000002
【特許請求の範囲】
【請求項１】
複数のコンテンツと、それらの管理情報が格納された管理情報ファイルとを記録メディアに記録するデータ記録装置であって、
前記記録メディアに記録された管理情報ファイルを読み出す管理情報読み出し部と、
前記管理情報読み出し部で読み出した管理情報ファイルに含まれる管理情報であるコンテンツ記録数が、所定のコンテンツ制限数に達しているかを判断するコンテンツ制限数判断部と、
前記コンテンツ制限数判断部により前記コンテンツ制限数に達していると判断されたとき、前記記録メディアに記録された所定の２以上のコンテンツを１つの結合コンテンツに結合するコンテンツ結合部と、
前記コンテンツ結合部において結合した結合コンテンツを構成する２以上のコンテンツの各々の元の管理情報が格納されたコンテンツ結合前管理情報ファイルを作成して前記記録メディアに記録するコンテンツ結合前管理情報作成部とを備えた
ことを特徴とするデータ記録装置。
【請求項２】
前記請求項１記載のデータ記録装置において、
さらに、前記コンテンツ結合部において結合した結合コンテンツの結合位置情報が格納されたコンテンツ結合後管理情報ファイルを作成して前記記録メディアに記録するコンテンツ結合後管理情報作成部を備えた
ことを特徴とするデータ記録装置。
【請求項３】
前記請求項１記載のデータ記録装置において、
前記管理情報読み出し部で読み出した管理情報ファイルに含まれる管理情報であるプレイリスト記録数が、所定のプレイリスト制限数に達しているかを判断するプレイリスト制限数判断部と、
前記プレイリスト制限数判断部により前記プレイリスト制限数に達していると判断されたとき、前記記録メディアに記録された所定の２以上のプレイリストを１つの結合プレイリストに結合するプレイリスト結合部と、
前記プレイリスト結合部において結合した結合プレイリストを構成する２以上のプレイリストの各々の元の管理情報が格納されたプレイリスト結合前管理情報ファイルを作成して前記記録メディアに記録するプレイリスト結合前管理情報作成部とを備えた
ことを特徴とするデータ記録装置。
【請求項４】
前記請求項３記載のデータ記録装置において、
さらに、前記プレイリスト結合部において結合した結合プレイリストの結合位置情報が格納されたプレイリスト結合後管理情報ファイルを作成して前記記録メディアに記録するプレイリスト結合後管理情報作成部を備えた
ことを特徴とするデータ記録装置。
【請求項５】
前記請求項１又は３記載のデータ記録装置において、
前記データ記録装置の内部には、コンテンツ結合前管理情報ファイルが格納されるコンテンツ結合前管理情報記録部を備え、
前記コンテンツ結合前管理情報作成部は、
前記コンテンツ結合前管理情報記録部及び前記記録メディアにコンテンツ結合前管理情報ファイルを記録する
ことを特徴とするデータ記録装置。
【請求項６】
前記請求項５記載のデータ記録装置において、
載置された記録メディアの固有情報を取得する記録メディア固有情報取得部と、
前記記録メディア固有情報取得部で取得した記録メディア固有情報に基づいて、前記記録メディアに対応したコンテンツ結合前管理情報ファイルが前記コンテンツ結合前管理情報記録部に格納されているかを検索するコンテンツ結合前管理情報検索部と、
前記載置された記録メディア内のコンテンツ結合前管理情報ファイルと、前記コンテンツ結合前管理情報検索部で検索したコンテンツ結合前管理情報ファイルとを比較するコンテンツ結合前管理情報比較部と、
前記コンテンツ結合前管理情報比較部により前記記録メディア内のコンテンツ結合前管理情報ファイルが変更又は消去されていると判断されたとき、前記コンテンツ結合前管理情報記録部に格納されたコンテンツ結合前管理情報ファイルを記録メディアに再記録するコンテンツ結合前管理情報再記録部とを備えた
ことを特徴とするデータ記録装置。
【請求項７】
前記請求項３記載のデータ記録装置において、
前記データ記録装置の内部には、プレイリスト結合前管理情報ファイルが格納されるプレイリスト結合前管理情報記録部を備え、
前記プレイリスト結合前管理情報作成部は、
前記プレイリスト結合前管理情報記録部及び前記記録メディアにプレイリスト結合前管理情報ファイルを記録する
ことを特徴とするデータ記録装置。
【請求項８】
前記請求項７記載のデータ記録装置において、
載置された記録メディアの固有情報を取得する記録メディア固有情報取得部と、
前記記録メディア固有情報取得部で取得した記録メディア固有情報に基づいて、前記記録メディアに対応したプレイリスト結合前管理情報ファイルが前記プレイリスト結合前管理情報記録部に格納されているかを検索するプレイリスト結合前管理情報検索部と、
前記載置された記録メディア内のプレイリスト結合前管理情報ファイルと、前記プレイリスト結合前管理情報検索部で検索したプレイリスト結合前管理情報ファイルとを比較するプレイリスト結合前管理情報比較部と、
前記プレイリスト結合前管理情報比較部により前記記録メディア内のプレイリスト結合前管理情報ファイルが変更又は消去されていると判断されたとき、前記プレイリスト結合前管理情報記録部に格納されたプレイリスト結合前管理情報ファイルを記録メディアに再記録するプレイリスト結合前管理情報再記録部とを備えた
ことを特徴とするデータ記録装置。
【請求項９】
複数のコンテンツと、それらの管理情報及びインデックス情報が格納された管理情報ファイルとを記録メディアに記録するデータ記録装置であって、
前記記録メディアに記録された管理情報ファイルを読み出す管理情報読み出し部と、
前記管理情報読み出し部で読み出した管理情報ファイルに含まれる管理情報であるコンテンツ記録数が、所定のコンテンツ制限数に達しているかを判断するコンテンツ制限数判断部と、
前記管理情報読み出し部で読み出した管理情報ファイルに含まれるインデックス情報であるインデックス記録数が、所定のインデックス制限数に達しているかを判断するインデックス制限数判断部と、
前記コンテンツ制限数判断部により前記コンテンツ制限数に達していると判断され、かつ前記インデックス制限数判断部により前記インデックス制限数に達していないと判断されたとき、前記記録メディアに記録された所定の２以上のコンテンツを１つの結合コンテンツに結合するコンテンツ結合部と、
前記コンテンツ結合部により所定の２以上のコンテンツが１つの結合コンテンツに結合されたとき、前記結合コンテンツのインデックス情報に、前記所定の２以上のコンテンツの各々の元のインデックス情報を記録するインデックス情報作成部とを備えた
ことを特徴とするデータ記録装置。
【請求項１０】
前記請求項１、３及び９の何れか一項に記載のデータ記録装置において、
前記管理情報ファイルが有する各々のコンテンツの管理情報に含まれるコンテンツ付加情報を取得するコンテンツ付加情報取得部と、
前記コンテンツ付加情報取得部で取得した各々のコンテンツ付加情報を解析して、関連するコンテンツを検索するコンテンツ付加情報解析部とを備え、
前記コンテンツ結合部は、
前記コンテンツ付加情報解析部により関連があると判断された所定の２以上のコンテンツを１つの結合コンテンツに結合する
ことを特徴とするデータ記録装置。
【請求項１１】
前記請求項３記載のデータ記録装置において、
前記管理情報ファイルが有する各々のプレイリストの管理情報に含まれるプレイリスト付加情報を取得するプレイリスト付加情報取得部と、
前記プレイリスト付加情報取得部で取得した各々のプレイリスト付加情報を解析して、関連するプレイリストを検索するプレイリスト付加情報解析部とを備え、
前記プレイリスト結合部は、
前記プレイリスト付加情報解析部により関連があると判断された所定の２以上のプレイリストを１つの結合プレイリストに結合する
ことを特徴とするデータ記録装置。
【請求項１２】
複数のコンテンツと、それらの管理情報が格納された管理情報ファイルと、前記請求項１又は３記載のデータ記録装置において記録されたコンテンツ結合前管理情報ファイルとが記録された記録メディアを再生するデータ再生装置であって、
前記コンテンツ結合前管理情報ファイルが記録メディア内に存在するかを確認するコンテンツ結合前管理情報確認部と、
前記コンテンツ結合前管理情報確認部で確認したコンテンツ結合前管理情報ファイルを解析するコンテンツ結合前管理情報解析部と、
前記コンテンツ結合前管理情報確認部によりコンテンツ結合前管理情報ファイルが確認されたとき、前記コンテンツ結合前管理情報解析部の解析結果を提示するコンテンツ結合前管理情報提示部とを備えた
ことを特徴とするデータ再生装置。
【請求項１３】
複数のコンテンツと、それらの管理情報が格納された管理情報ファイルと、前記請求項３記載のデータ記録装置において記録されたプレイリスト結合前管理情報ファイルとが記録された記録メディアを再生するデータ再生装置であって、
前記プレイリスト結合前管理情報ファイルが記録メディア内に存在するかを確認するプレイリスト結合前管理情報確認部と、
前記プレイリスト結合前管理情報確認部で確認したプレイリスト結合前管理情報ファイルを解析するプレイリスト結合前管理情報解析部と、
前記プレイリスト結合前管理情報確認部によりプレイリスト結合前管理情報ファイルが確認されたとき、前記プレイリスト結合前管理情報解析部の解析結果を提示するプレイリスト結合前管理情報提示部とを備えた
ことを特徴とするデータ再生装置。
【請求項１４】
前記請求項１〜１１の何れか一項に記載のデータ記録装置であって、
前記データ記録装置は、ＳＤ−Ａｕｄｉｏ規格に準拠したデータ記録装置である
ことを特徴とするデータ記録装置。
【請求項１５】
前記請求項１２又は１３記載のデータ再生装置であって、
前記データ再生装置は、ＳＤ−Ａｕｄｉｏ規格に準拠したデータ再生装置である
ことを特徴とするデータ再生装置。
【請求項１６】
前記請求項１記載のデータ記録装置において、
前記コンテンツ結合前管理情報ファイルは、ユーザが見かけ上コンテンツが結合される前の状態を参照するものである
ことを特徴とするデータ記録装置。
【請求項１７】
前記請求項３記載のデータ記録装置において、
前記プレイリスト結合前管理情報ファイルは、ユーザが見かけ上プレイリストが結合される前の状態を参照するものである
ことを特徴とするデータ記録装置。
【請求項１８】
複数のコンテンツと、それらの管理情報が格納された管理情報ファイルとを記録メディアに記録するデータ記録方法であって、
前記記録メディアに記録された管理情報ファイルを読み出す管理情報読み出しステップと、
前記管理情報読み出しステップで読み出した管理情報ファイルに含まれる管理情報であるコンテンツ記録数が、所定のコンテンツ制限数に達しているかを判断するコンテンツ制限数判断ステップと、
前記コンテンツ制限数判断ステップにより前記コンテンツ制限数に達していると判断されたとき、前記記録メディアに記録された所定の２以上のコンテンツを１つの結合コンテンツに結合するコンテンツ結合ステップと、
前記コンテンツ結合ステップにおいて結合した結合コンテンツを構成する２以上のコンテンツの各々の元の管理情報が格納されたコンテンツ結合前管理情報ファイルを作成して前記記録メディアに記録するコンテンツ結合前管理情報作成ステップとを備えた
ことを特徴とするデータ記録方法。
【請求項１９】
前記請求項１８記載のデータ記録方法において、
前記管理情報読み出しステップで読み出した管理情報ファイルに含まれる管理情報であるプレイリスト記録数が、所定のプレイリスト制限数に達しているかを判断するプレイリスト制限数判断ステップと、
前記プレイリスト制限数判断ステップにより前記プレイリスト制限数に達していると判断されたとき、前記記録メディアに記録された所定の２以上のプレイリストを１つの結合プレイリストに結合するプレイリスト結合ステップと、
前記プレイリスト結合ステップにおいて結合した結合プレイリストを構成する２以上のプレイリストの各々の元の管理情報が格納されたプレイリスト結合前管理情報ファイルを作成して前記記録メディアに記録するプレイリスト結合前管理情報作成ステップとを備えた
ことを特徴とするデータ記録方法。
【請求項２０】
前記請求項１８又は１９記載のデータ記録方法において、
前記コンテンツ結合前管理情報作成ステップは、
データ記録装置の内部及び前記記録メディアにコンテンツ結合前管理情報ファイルを記録する
ことを特徴とするデータ記録方法。
【請求項２１】
前記請求項２０記載のデータ記録方法において、
載置された記録メディアの固有情報を取得する記録メディア固有情報取得ステップと、
前記記録メディア固有情報取得ステップで取得した記録メディア固有情報に基づいて、前記記録メディアに対応したコンテンツ結合前管理情報ファイルが前記データ記録装置の内部に格納されているかを検索するコンテンツ結合前管理情報検索ステップと、
前記載置された記録メディア内のコンテンツ結合前管理情報ファイルと、前記データ記録装置内のコンテンツ結合前管理情報ファイルとを比較するコンテンツ結合前管理情報比較ステップと、
前記コンテンツ結合前管理情報比較ステップにより前記記録メディア内のコンテンツ結合前管理情報ファイルが変更又は消去されていると判断されたとき、前記データ記録装置に格納されたコンテンツ結合前管理情報ファイルを記録メディアに再記録するコンテンツ結合前管理情報再記録ステップとを備えた
ことを特徴とするデータ記録方法。
【請求項２２】
複数のコンテンツと、それらの管理情報及びインデックス情報が格納された管理情報ファイルとを記録メディアに記録するデータ記録方法であって、
前記記録メディアに記録された管理情報ファイルを読み出す管理情報読み出しステップと、
前記管理情報読み出しステップで読み出した管理情報ファイルに含まれる管理情報であるコンテンツ記録数が、所定のコンテンツ制限数に達しているかを判断するコンテンツ制限数判断ステップと、
前記管理情報読み出しステップで読み出した管理情報ファイルに含まれるインデックス情報であるインデックス記録数が、所定のインデックス制限数に達しているかを判断するインデックス制限数判断ステップと、
前記コンテンツ制限数判断ステップにより前記コンテンツ制限数に達していると判断され、かつ前記インデックス制限数判断ステップにより前記インデックス制限数に達していないと判断されたとき、前記記録メディアに記録された所定の２以上のコンテンツを１つの結合コンテンツに結合するコンテンツ結合ステップと、
前記コンテンツ結合ステップにより所定の２以上のコンテンツが１つの結合コンテンツに結合されたとき、前記結合コンテンツのインデックス情報に、前記所定の２以上のコンテンツの各々の元のインデックス情報を記録するインデックス情報作成ステップとを備えた
ことを特徴とするデータ記録方法。
【請求項２３】
前記請求項１８、１９及び２２の何れか一項に記載のデータ記録方法において、
前記管理情報ファイルが有する各々のコンテンツの管理情報に含まれるコンテンツ付加情報を取得するコンテンツ付加情報取得ステップと、
前記コンテンツ付加情報取得ステップで取得した各々のコンテンツ付加情報を解析して、関連するコンテンツを検索するコンテンツ付加情報解析ステップとを備え、
前記コンテンツ結合ステップは、
前記コンテンツ付加情報解析ステップにより関連があると判断された所定の２以上のコンテンツを１つの結合コンテンツに結合する
ことを特徴とするデータ記録方法。
【請求項２４】
複数のコンテンツと、それらの管理情報が格納された管理情報ファイルと、前記請求項１又は３記載のデータ記録装置において記録されたコンテンツ結合前管理情報ファイルとが記録された記録メディアを再生するデータ再生方法であって、
前記コンテンツ結合前管理情報ファイルが記録メディア内に存在するかを確認するコンテンツ結合前管理情報確認ステップと、
前記コンテンツ結合前管理情報確認ステップで確認したコンテンツ結合前管理情報ファイルを解析するコンテンツ結合前管理情報解析ステップと、
前記コンテンツ結合前管理情報確認ステップによりコンテンツ結合前管理情報ファイルが確認されたとき、前記コンテンツ結合前管理情報解析ステップの解析結果を提示するコンテンツ結合管理前情報提示ステップとを備えた
ことを特徴とするデータ再生方法。
【発明の詳細な説明】
【技術分野】
【０００１】
本発明は、コンテンツをそれらの管理情報によって管理するデータ記録装置及びデータ再生装置並びにデータ記録方法及びデータ再生方法に関するものである。
【背景技術】
【０００２】
近年、映像データや音声データ等のデジタルＡＶコンテンツの記録には大容量のＤＶＤやＳＤカード等が記録メディアとして利用されており、今後もより多くの記録時間を実現するために、これらの記録メディアはさらなる大容量化が予想される。
【０００３】
一方、上記のＤＶＤやＳＤカード等の記録メディアに記録されたＡＶコンテンツは、記録メディアが準拠する規格に沿った管理情報によって管理されており、前記管理情報として、その記録メディアに記録可能なＡＶコンテンツ数（ＡＶコンテンツ制限数）や記録されたＡＶコンテンツのＡＶコンテンツ情報等がある。
【０００４】
前記管理情報に関する規定は、準拠規格の策定時の記録容量を基に定められているので、記録メディアのさらなる大容量化が成されたときには、前記ＡＶコンテンツ制限数と同数のＡＶコンテンツが記録されているにも拘わらず、記録メディアには空き容量が存在する可能性がある。この際、前記管理情報に規定された制限数を超えてＡＶコンテンツを記録することは不可能であり、その結果として、記録メディアには十分な空き容量が有るにも拘わらず管理情報に規定された制限数によってＡＶコンテンツの追加記録が不可能となってしまう、つまり管理情報の資源枯渇に依る記録不可状態が発生するという課題がある。
【０００５】
従来、前記のような管理情報の資源枯渇を解消するデータ記録装置として、例えば特許文献１に記載されるように、管理情報の資源枯渇が発生した場合には、記録メディアに記録されているＡＶコンテンツを結合することによってＡＶコンテンツ記録数を削減して、管理情報の資源枯渇に依る記録不可状態を回避する技術が知られている。
【０００６】
以下に、管理情報の資源枯渇の解消に関する従来技術を説明する。
【０００７】
図１５は、従来のデータ記録装置における管理情報資源の枯渇解消のフローチャートである。
【０００８】
同図において、まず、記録メディアに記録された管理情報ファイルを読み出す（ステップＳ１５００）。この管理情報ファイルには、複数の管理情報が格納されている。次に、前記ステップＳ１５００で読み出した管理情報ファイルに基づいて、記録メディアに記録されているＡＶコンテンツ数が枯渇状態であるかを判断する（ステップＳ１５０１）。ここでは、記録メディアに空き容量が有り、かつ記録メディアに記録可能なＡＶコンテンツ制限数と記録済みのＡＶコンテンツ記録数とが等しい場合を枯渇状態として判断する。ＡＶコンテンツ数が枯渇状態である場合にはステップＳ１５０２に進み、枯渇状態でない場合にはステップＳ１５０４に進む。
【０００９】
ステップＳ１５０２では、管理情報ファイルに基づいて、複数のＡＶコンテンツを参照するプレイリストが存在するかを判断する。上記に該当する場合にはステップＳ１５０３に進み、該当しない場合にはステップＳ１５０４に進む。
【００１０】
ステップＳ１５０３では、上記のプレイリストによって参照される複数のＡＶコンテンツを１つの結合ＡＶコンテンツに結合する。
【００１１】
上記ステップＳ１５０１〜ステップＳ１５０３の処理によってＡＶコンテンツ数の枯渇を解消することが可能となる。
【００１２】
ステップＳ１５０４では、記録メディアに記録されたプレイリスト数が枯渇状態であるかを判断する。プレイリスト数が枯渇状態である場合にはステップＳ１５０５に進み、複数のプレイリストを１つの結合プレイリストに結合する。プレイリストが枯渇状態でない場合には処理を終了する。
【特許文献１】特開２００５−３１７０７６号公報
【発明の開示】
【発明が解決しようとする課題】
【００１３】
しかしながら、従来のデータ記録装置では、記録メディアに記録された複数のＡＶコンテンツを１つの結合ＡＶコンテンツに結合したときに、結合された元のＡＶコンテンツの管理情報が失われるので、結合ＡＶコンテンツへの結合後に、結合前の元のＡＶコンテンツに直接的にアクセスすることが不可能になるという課題がある。
【００１４】
図１６（ａ）に従来のデータ記録装置における結合前のＡＶコンテンツの状態の模式図を示し、同図（ｂ）に結合後のＡＶコンテンツの状態の模式図を示す。
【００１５】
管理情報ファイルにおいて、ＡＶコンテンツ制限数が「３」（ＴＲＭＡＸ＝３）、プレイリスト制限数が「３」（ＰＬＭＡＸ＝３）と規定されている場合において、同図（ａ）に示すように、プレイリストＰＬ１が３つのＡＶコンテンツＴＲ１、ＴＲ２、ＴＲ３の各々のアクセスポイントを参照する構成であり、管理情報ファイルにＡＶコンテンツ記録数が「３」（ＴＲＮＵＭ＝３）、プレイリスト記録数が「１」（ＰＬＮＵＭ＝１）と記録されているとする。
【００１６】
このとき、ＡＶコンテンツ記録数とＡＶコンテンツ制限数とが等しいので（ＴＲＮＵＭ＝ＴＲＭＡＸ＝３）、管理情報の資源枯渇が発生したと判断して、同図（ｂ）に示すように、結合ＡＶコンテンツＴＲ１’の結合が行われる。
【００１７】
同図（ｂ）は、２つのＡＶコンテンツＴＲ１、ＴＲ２が１つの結合ＡＶコンテンツＴＲ１’に結合された状態を示しており、プレイリストＰＬ１は２つのＡＶコンテンツＴＲ１’、ＴＲ３のアクセスポイントを参照する構成となる。２つのＡＶコンテンツＴＲ１、ＴＲ２を結合する際には、管理情報ファイルに格納された結合前のＡＶコンテンツＴＲ１、ＴＲ２の管理情報、例えば再生開始位置等の情報は削除されて、結合後の結合ＡＶコンテンツＴＲ１’の管理情報が新たに作成される。
【００１８】
ここで、結合前のＡＶコンテンツＴＲ１の再生開始位置は、結合後のＡＶコンテンツＴＲ１’の再生開始位置と同じであるが、結合前のＡＶコンテンツＴＲ２の管理情報が削除されているので、結合前のＡＶコンテンツＴＲ２の再生開始位置に直接的にアクセスすることが不可能となってしまう。
【００１９】
管理情報の資源枯渇が発生する場合は、非常に多くのＡＶコンテンツやプレイリストが記録メディアに記録されている状態であり、この状態において結合ＡＶコンテンツの結合を行った際には、所望のＡＶコンテンツがどの結合ＡＶコンテンツに結合されているかをユーザ自身が記憶しておくことは困難である。
【００２０】
また、結合前のＡＶコンテンツへの直接的なアクセスが不可能になることは、任意のＡＶコンテンツに容易にアクセスが可能であるというデジタルＡＶコンテンツの優位性を著しく損なうこととなる。
【００２１】
本発明は、前記の課題に着目してなされたものであり、その目的は、複数のコンテンツを１つの結合コンテンツに結合した場合であっても、前記結合コンテンツを構成する複数のコンテンツへの直接的なアクセスが可能なデータ記録装置及びデータ再生装置並びにデータ記録方法及びデータ再生方法を提供することにある。
【課題を解決するための手段】
【００２２】
前記の目的を達成するために、本発明では、複数のコンテンツと、それらの管理情報が格納された管理情報ファイルとを記録メディアに記録するデータ記録装置について、所定の２以上のコンテンツを１つの結合コンテンツに結合した際に、前記結合コンテンツを構成する所定の２以上のコンテンツの各々の元の管理情報を記録したコンテンツ結合前管理情報ファイルを作成して記録メディアに記録したり、結合後の結合コンテンツのインデックス情報に前記結合コンテンツを構成する所定の２以上のコンテンツの各々の元のインデックス情報を記録したりして、前記所定の２以上のコンテンツに直接的にアクセス可能となる構成を採用する。
【００２３】
具体的に、請求項１記載の発明のデータ記録装置は、複数のコンテンツと、それらの管理情報が格納された管理情報ファイルとを記録メディアに記録するデータ記録装置であって、前記記録メディアに記録された管理情報ファイルを読み出す管理情報読み出し部と、前記管理情報読み出し部で読み出した管理情報ファイルに含まれる管理情報であるコンテンツ記録数が、所定のコンテンツ制限数に達しているかを判断するコンテンツ制限数判断部と、前記コンテンツ制限数判断部により前記コンテンツ制限数に達していると判断されたとき、前記記録メディアに記録された所定の２以上のコンテンツを１つの結合コンテンツに結合するコンテンツ結合部と、前記コンテンツ結合部において結合した結合コンテンツを構成する２以上のコンテンツの各々の元の管理情報が格納されたコンテンツ結合前管理情報ファイルを作成して前記記録メディアに記録するコンテンツ結合前管理情報作成部とを備えたことを特徴とする。
【００２４】
請求項２記載の発明は、前記請求項１記載のデータ記録装置において、さらに、前記コンテンツ結合部において結合した結合コンテンツの結合位置情報が格納されたコンテンツ結合後管理情報ファイルを作成して前記記録メディアに記録するコンテンツ結合後管理情報作成部を備えたことを特徴とする。
【００２５】
請求項３記載の発明は、前記請求項１記載のデータ記録装置において、前記管理情報読み出し部で読み出した管理情報ファイルに含まれる管理情報であるプレイリスト記録数が、所定のプレイリスト制限数に達しているかを判断するプレイリスト制限数判断部と、前記プレイリスト制限数判断部により前記プレイリスト制限数に達していると判断されたとき、前記記録メディアに記録された所定の２以上のプレイリストを１つの結合プレイリストに結合するプレイリスト結合部と、前記プレイリスト結合部において結合した結合プレイリストを構成する２以上のプレイリストの各々の元の管理情報が格納されたプレイリスト結合前管理情報ファイルを作成して前記記録メディアに記録するプレイリスト結合前管理情報作成部とを備えたことを特徴とする。
【００２６】
請求項４記載の発明は、前記請求項３記載のデータ記録装置において、さらに、前記プレイリスト結合部において結合した結合プレイリストの結合位置情報が格納されたプレイリスト結合後管理情報ファイルを作成して前記記録メディアに記録するプレイリスト結合後管理情報作成部を備えたことを特徴とする。
【００２７】
請求項５記載の発明は、前記請求項１又は３記載のデータ記録装置において、前記データ記録装置の内部には、コンテンツ結合前管理情報ファイルが格納されるコンテンツ結合前管理情報記録部を備え、前記コンテンツ結合前管理情報作成部は、前記コンテンツ結合前管理情報記録部及び前記記録メディアにコンテンツ結合前管理情報ファイルを記録することを特徴とする。
【００２８】
請求項６記載の発明は、前記請求項５記載のデータ記録装置において、載置された記録メディアの固有情報を取得する記録メディア固有情報取得部と、前記記録メディア固有情報取得部で取得した記録メディア固有情報に基づいて、前記記録メディアに対応したコンテンツ結合前管理情報ファイルが前記コンテンツ結合前管理情報記録部に格納されているかを検索するコンテンツ結合前管理情報検索部と、前記載置された記録メディア内のコンテンツ結合前管理情報ファイルと、前記コンテンツ結合前管理情報検索部で検索したコンテンツ結合前管理情報ファイルとを比較するコンテンツ結合前管理情報比較部と、前記コンテンツ結合前管理情報比較部により前記記録メディア内のコンテンツ結合前管理情報ファイルが変更又は消去されていると判断されたとき、前記コンテンツ結合前管理情報記録部に格納されたコンテンツ結合前管理情報ファイルを記録メディアに再記録するコンテンツ結合前管理情報再記録部とを備えたことを特徴とする。
【００２９】
請求項７記載の発明は、前記請求項３記載のデータ記録装置において、前記データ記録装置の内部には、プレイリスト結合前管理情報ファイルが格納されるプレイリスト結合前管理情報記録部を備え、前記プレイリスト結合前管理情報作成部は、前記プレイリスト結合前管理情報記録部及び前記記録メディアにプレイリスト結合前管理情報ファイルを記録することを特徴とする。
【００３０】
請求項８記載の発明は、前記請求項７記載のデータ記録装置において、載置された記録メディアの固有情報を取得する記録メディア固有情報取得部と、前記記録メディア固有情報取得部で取得した記録メディア固有情報に基づいて、前記記録メディアに対応したプレイリスト結合前管理情報ファイルが前記プレイリスト結合前管理情報記録部に格納されているかを検索するプレイリスト結合前管理情報検索部と、前記載置された記録メディア内のプレイリスト結合前管理情報ファイルと、前記プレイリスト結合前管理情報検索部で検索したプレイリスト結合前管理情報ファイルとを比較するプレイリスト結合前管理情報比較部と、前記プレイリスト結合前管理情報比較部により前記記録メディア内のプレイリスト結合前管理情報ファイルが変更又は消去されていると判断されたとき、前記プレイリスト結合前管理情報記録部に格納されたプレイリスト結合前管理情報ファイルを記録メディアに再記録するプレイリスト結合前管理情報再記録部とを備えたことを特徴とする。
【００３１】
請求項９記載の発明のデータ記録装置は、複数のコンテンツと、それらの管理情報及びインデックス情報が格納された管理情報ファイルとを記録メディアに記録するデータ記録装置であって、前記記録メディアに記録された管理情報ファイルを読み出す管理情報読み出し部と、前記管理情報読み出し部で読み出した管理情報ファイルに含まれる管理情報であるコンテンツ記録数が、所定のコンテンツ制限数に達しているかを判断するコンテンツ制限数判断部と、前記管理情報読み出し部で読み出した管理情報ファイルに含まれるインデックス情報であるインデックス記録数が、所定のインデックス制限数に達しているかを判断するインデックス制限数判断部と、前記コンテンツ制限数判断部により前記コンテンツ制限数に達していると判断され、かつ前記インデックス制限数判断部により前記インデックス制限数に達していないと判断されたとき、前記記録メディアに記録された所定の２以上のコンテンツを１つの結合コンテンツに結合するコンテンツ結合部と、前記コンテンツ結合部により所定の２以上のコンテンツが１つの結合コンテンツに結合されたとき、前記結合コンテンツのインデックス情報に、前記所定の２以上のコンテンツの各々の元のインデックス情報を記録するインデックス情報作成部とを備えたことを特徴とする。
【００３２】
請求項１０記載の発明は、前記請求項１、３及び９の何れか一項に記載のデータ記録装置において、前記管理情報ファイルが有する各々のコンテンツの管理情報に含まれるコンテンツ付加情報を取得するコンテンツ付加情報取得部と、前記コンテンツ付加情報取得部で取得した各々のコンテンツ付加情報を解析して、関連するコンテンツを検索するコンテンツ付加情報解析部とを備え、前記コンテンツ結合部は、前記コンテンツ付加情報解析部により関連があると判断された所定の２以上のコンテンツを１つの結合コンテンツに結合することを特徴とする。
【００３３】
請求項１１記載の発明は、前記請求項３記載のデータ記録装置において、前記管理情報ファイルが有する各々のプレイリストの管理情報に含まれるプレイリスト付加情報を取得するプレイリスト付加情報取得部と、前記プレイリスト付加情報取得部で取得した各々のプレイリスト付加情報を解析して、関連するプレイリストを検索するプレイリスト付加情報解析部とを備え、前記プレイリスト結合部は、前記プレイリスト付加情報解析部により関連があると判断された所定の２以上のプレイリストを１つの結合プレイリストに結合することを特徴とする。
【００３４】
請求項１２記載の発明のデータ再生装置は、複数のコンテンツと、それらの管理情報が格納された管理情報ファイルと、前記請求項１又は３記載のデータ記録装置において記録されたコンテンツ結合前管理情報ファイルとが記録された記録メディアを再生するデータ再生装置であって、前記コンテンツ結合前管理情報ファイルが記録メディア内に存在するかを確認するコンテンツ結合前管理情報確認部と、前記コンテンツ結合前管理情報確認部で確認したコンテンツ結合前管理情報ファイルを解析するコンテンツ結合前管理情報解析部と、前記コンテンツ結合前管理情報確認部によりコンテンツ結合前管理情報ファイルが確認されたとき、前記コンテンツ結合前管理情報解析部の解析結果を提示するコンテンツ結合前管理情報提示部とを備えたことを特徴とする。
【００３５】
請求項１３記載の発明のデータ再生装置は、複数のコンテンツと、それらの管理情報が格納された管理情報ファイルと、前記請求項３記載のデータ記録装置において記録されたプレイリスト結合前管理情報ファイルとが記録された記録メディアを再生するデータ再生装置であって、前記プレイリスト結合前管理情報ファイルが記録メディア内に存在するかを確認するプレイリスト結合前管理情報確認部と、前記プレイリスト結合前管理情報確認部で確認したプレイリスト結合前管理情報ファイルを解析するプレイリスト結合前管理情報解析部と、前記プレイリスト結合前管理情報確認部によりプレイリスト結合前管理情報ファイルが確認されたとき、前記プレイリスト結合前管理情報解析部の解析結果を提示するプレイリスト結合前管理情報提示部とを備えたことを特徴とする。
【００３６】
請求項１４記載の発明は、前記請求項１〜１１の何れか一項に記載のデータ記録装置であって、前記データ記録装置は、ＳＤ−Ａｕｄｉｏ規格に準拠したデータ記録装置であることを特徴とする。
【００３７】
請求項１５記載の発明は、前記請求項１２又は１３記載のデータ再生装置であって、前記データ再生装置は、ＳＤ−Ａｕｄｉｏ規格に準拠したデータ再生装置であることを特徴とするデータ再生装置。
【００３８】
請求項１６記載の発明は、前記請求項１記載のデータ記録装置において、前記コンテンツ結合前管理情報ファイルは、ユーザが見かけ上コンテンツが結合される前の状態を参照するものであることを特徴とする。
【００３９】
請求項１７記載の発明は、前記請求項３記載のデータ記録装置において、前記プレイリスト結合前管理情報ファイルは、ユーザが見かけ上プレイリストが結合される前の状態を参照するものであることを特徴とする。
【００４０】
請求項１８記載の発明のデータ記録方法は、複数のコンテンツと、それらの管理情報が格納された管理情報ファイルとを記録メディアに記録するデータ記録方法であって、前記記録メディアに記録された管理情報ファイルを読み出す管理情報読み出しステップと、前記管理情報読み出しステップで読み出した管理情報ファイルに含まれる管理情報であるコンテンツ記録数が、所定のコンテンツ制限数に達しているかを判断するコンテンツ制限数判断ステップと、前記コンテンツ制限数判断ステップにより前記コンテンツ制限数に達していると判断されたとき、前記記録メディアに記録された所定の２以上のコンテンツを１つの結合コンテンツに結合するコンテンツ結合ステップと、前記コンテンツ結合ステップにおいて結合した結合コンテンツを構成する２以上のコンテンツの各々の元の管理情報が格納されたコンテンツ結合前管理情報ファイルを作成して前記記録メディアに記録するコンテンツ結合前管理情報作成ステップとを備えたことを特徴とする。
【００４１】
請求項１９記載の発明は、前記請求項１８記載のデータ記録方法において、前記管理情報読み出しステップで読み出した管理情報ファイルに含まれる管理情報であるプレイリスト記録数が、所定のプレイリスト制限数に達しているかを判断するプレイリスト制限数判断ステップと、前記プレイリスト制限数判断ステップにより前記プレイリスト制限数に達していると判断されたとき、前記記録メディアに記録された所定の２以上のプレイリストを１つの結合プレイリストに結合するプレイリスト結合ステップと、前記プレイリスト結合ステップにおいて結合した結合プレイリストを構成する２以上のプレイリストの各々の元の管理情報が格納されたプレイリスト結合前管理情報ファイルを作成して前記記録メディアに記録するプレイリスト結合前管理情報作成ステップとを備えたことを特徴とする。
【００４２】
請求項２０記載の発明は、前記請求項１８又は１９記載のデータ記録方法において、前記コンテンツ結合前管理情報作成ステップは、データ記録装置の内部及び前記記録メディアにコンテンツ結合前管理情報ファイルを記録することを特徴とする。
【００４３】
請求項２１記載の発明は、前記請求項２０記載のデータ記録方法において、載置された記録メディアの固有情報を取得する記録メディア固有情報取得ステップと、前記記録メディア固有情報取得ステップで取得した記録メディア固有情報に基づいて、前記記録メディアに対応したコンテンツ結合前管理情報ファイルが前記データ記録装置の内部に格納されているかを検索するコンテンツ結合前管理情報検索ステップと、前記載置された記録メディア内のコンテンツ結合前管理情報ファイルと、前記データ記録装置内のコンテンツ結合前管理情報ファイルとを比較するコンテンツ結合前管理情報比較ステップと、前記コンテンツ結合前管理情報比較ステップにより前記記録メディア内のコンテンツ結合前管理情報ファイルが変更又は消去されていると判断されたとき、前記データ記録装置に格納されたコンテンツ結合前管理情報ファイルを記録メディアに再記録するコンテンツ結合前管理情報再記録ステップとを備えたことを特徴とする。
【００４４】
請求項２２記載の発明のデータ記録方法は、複数のコンテンツと、それらの管理情報及びインデックス情報が格納された管理情報ファイルとを記録メディアに記録するデータ記録方法であって、前記記録メディアに記録された管理情報ファイルを読み出す管理情報読み出しステップと、前記管理情報読み出しステップで読み出した管理情報ファイルに含まれる管理情報であるコンテンツ記録数が、所定のコンテンツ制限数に達しているかを判断するコンテンツ制限数判断ステップと、前記管理情報読み出しステップで読み出した管理情報ファイルに含まれるインデックス情報であるインデックス記録数が、所定のインデックス制限数に達しているかを判断するインデックス制限数判断ステップと、前記コンテンツ制限数判断ステップにより前記コンテンツ制限数に達していると判断され、かつ前記インデックス制限数判断ステップにより前記インデックス制限数に達していないと判断されたとき、前記記録メディアに記録された所定の２以上のコンテンツを１つの結合コンテンツに結合するコンテンツ結合ステップと、前記コンテンツ結合ステップにより所定の２以上のコンテンツが１つの結合コンテンツに結合されたとき、前記結合コンテンツのインデックス情報に、前記所定の２以上のコンテンツの各々の元のインデックス情報を記録するインデックス情報作成ステップとを備えたことを特徴とする。
【００４５】
請求項２３記載の発明は、前記請求項１８、１９及び２２の何れか一項に記載のデータ記録方法において、前記管理情報ファイルが有する各々のコンテンツの管理情報に含まれるコンテンツ付加情報を取得するコンテンツ付加情報取得ステップと、前記コンテンツ付加情報取得ステップで取得した各々のコンテンツ付加情報を解析して、関連するコンテンツを検索するコンテンツ付加情報解析ステップとを備え、前記コンテンツ結合ステップは、前記コンテンツ付加情報解析ステップにより関連があると判断された所定の２以上のコンテンツを１つの結合コンテンツに結合することを特徴とする。
【００４６】
請求項２４記載の発明のデータ再生方法は、複数のコンテンツと、それらの管理情報が格納された管理情報ファイルと、前記請求項１又は３記載のデータ記録装置において記録されたコンテンツ結合前管理情報ファイルとが記録された記録メディアを再生するデータ再生方法であって、前記コンテンツ結合前管理情報ファイルが記録メディア内に存在するかを確認するコンテンツ結合前管理情報確認ステップと、前記コンテンツ結合前管理情報確認ステップで確認したコンテンツ結合前管理情報ファイルを解析するコンテンツ結合前管理情報解析ステップと、前記コンテンツ結合前管理情報確認ステップによりコンテンツ結合前管理情報ファイルが確認されたとき、前記コンテンツ結合前管理情報解析ステップの解析結果を提示するコンテンツ結合管理前情報提示ステップとを備えた
ことを特徴とする。
【００４７】
以上により、請求項１〜８、１０〜２１、２３、２４記載の発明では、管理情報の資源枯渇を解消する際に所定の２以上のコンテンツを１つの結合コンテンツに結合した場合であっても、前記所定の２以上のコンテンツの各々の元の管理情報をコンテンツ結合前管理情報ファイルに格納するので、管理情報の資源枯渇を解消できると共に、前記所定の２以上のコンテンツに直接的にアクセスすることが可能となる。
【００４８】
また、請求項９及び２２記載の発明では、管理情報の資源枯渇を解消する際に所定の２以上のコンテンツを１つの結合コンテンツに結合した場合であっても、前記所定の２以上のコンテンツの各々の元のインデックス情報を前記結合コンテンツのインデックス情報に記録するので、コンテンツ結合前管理情報ファイルを作成することなく、前記所定の２以上のコンテンツに直接的にアクセスすることが可能となる。
【００４９】
特に、請求項３及び１９記載の発明では、プレイリスト数の管理情報の資源枯渇を解消する際に所定の２以上のプレイリストを１つの結合プレイリストに結合した場合であっても、前記所定の２以上のプレイリストの各々の元の管理情報をプレイリスト結合前管理情報ファイルに格納するので、プレイリスト数の管理情報の資源枯渇を解消できると共に、前記所定の２以上のプレイリストに直接的にアクセスすることが可能となる。
【発明の効果】
【００５０】
以上説明したように、請求項１〜２４記載のデータ記録装置及びデータ再生装置並びにデータ記録方法及びデータ再生方法によれば、管理情報の資源枯渇に依る記録不可状態において、所定の２以上のコンテンツを１つの結合コンテンツに結合して管理情報の資源枯渇を解消するに際し、前記所定の２以上のコンテンツの各々の元の管理情報を格納したコンテンツ結合前管理情報ファイルを作成したり、前記所定の２以上のコンテンツのインデックス情報を結合コンテンツのインデックス情報に記録したので、複数のコンテンツの結合処理を行った後でも、結合前の各々のコンテンツに直接的にアクセスすることが可能となり、ユーザ自身が所望のコンテンツの記録されている位置を記憶しておくことが不要となると共に、デジタルＡＶコンテンツの優位性が保たれる。
【００５１】
特に、請求項３及び１９記載のデータ記録装置及びデータ記録方法によれば、プレイリスト数の管理情報の資源枯渇に依る記録不可状態においても、所定の２以上のプレイリストの各々の元の管理情報を格納したプレイリスト結合前管理情報ファイルを作成したので、複数のプレイリストの結合処理を行った後でも、結合前の各々のプレイリストに直接的にアクセスすることが可能となり、ユーザ自身が所望のプレイリストの記録されている位置を記憶しておくことが不要となる。
【発明を実施するための最良の形態】
【００５２】
以下、本発明の実施形態のデータ記録装置及びデータ再生装置並びにデータ記録方法及びデータ再生方法を図面に基づいて説明する。
【００５３】
（第１の実施形態）
図１は、本発明の第１の実施形態のデータ記録方法の処理フロー図である。
【００５４】
同図において、まず、ステップ（記録メディア固有情報取得ステップ）Ｓ０１００において、データ記録装置に挿入された記録メディアに固有のメディアＩＤを取得する。その後、ステップ（コンテンツ結合前管理情報検索ステップ）Ｓ０１０１において、前記ステップＳ０１００で取得したメディアＩＤに対応したコンテンツ結合管理情報ファイル（コンテンツ結合前管理情報ファイル、コンテンツ結合後管理情報ファイル）及びプレイリスト結合管理情報ファイル（プレイリスト結合前管理情報ファイル、プレイリスト結合後管理情報ファイル）がデータ記録装置内に格納されているかの検索を行う。ここで、コンテンツ結合管理情報ファイルには、結合ＡＶコンテンツ（後述）を構成する複数のＡＶコンテンツの各々の元の管理情報及び、前記結合ＡＶコンテンツの結合位置情報が格納されている。また、プレイリスト結合管理情報ファイルには、結合プレイリスト（後述）を構成する複数のプレイリストの各々の元の管理情報及び、前記結合プレイリストの結合位置情報が格納されている。なお、以下では、コンテンツ結合管理情報ファイルとプレイリスト結合管理情報ファイルを併せて、結合管理情報ファイルという。
【００５５】
前記ステップＳ０１０１において、挿入された記録メディアに対応した結合管理情報ファイルがデータ記録装置内に格納されている場合、ステップ（コンテンツ結合前管理情報比較ステップ）Ｓ０１０２において、記録メディア内の結合管理情報ファイルとデータ記録装置内の結合管理情報ファイルとを比較する。
【００５６】
前記ステップＳ０１０２において、記録メディア内の結合管理情報ファイルと前記データ記録装置内の結合管理情報ファイルとが異なる、例えば前記記録メディア内の結合管理情報ファイルが変更や消去されている場合には、ステップ（コンテンツ結合前管理情報再記録ステップ）Ｓ０１０３において、前記データ記録装置内の結合管理情報ファイルを記録メディアに再記録する。
【００５７】
その後、ステップ（管理情報読み出しステップ）Ｓ０１０４において、記録メディアに記録された管理情報ファイルを読み出す。
【００５８】
ステップ（コンテンツ制限数判断ステップ）Ｓ０１０５では、前記管理情報ファイルが有する管理情報に含まれるＡＶコンテンツ記録数（ＴＲＮＵＭ）がＡＶコンテンツ制限数（ＴＲＭＡＸ）に達しているかを判断する。ＡＶコンテンツ数が枯渇している、すなわち、ＡＶコンテンツ記録数がＡＶコンテンツ制限数に達している場合には（ＴＲＮＵＭ＝ＴＲＭＡＸ）、ステップ（コンテンツ結合前管理情報作成ステップ）Ｓ０１０６において、結合するＡＶコンテンツに関するコンテンツ結合管理情報ファイルを作成して、そのコンテンツ結合管理情報ファイルを記録メディア及びデータ記録装置内に記録する。その後、ステップ（コンテンツ結合ステップ）Ｓ０１０７において、複数のＡＶコンテンツを１つの結合ＡＶコンテンツに結合して、結合ＡＶコンテンツを記録メディアに記録する。
【００５９】
ステップ（プレイリスト制限数判断ステップ）Ｓ０１０８では、前記管理情報ファイルが有する管理情報に含まれるプレイリスト記録数（ＰＬＮＵＭ）がプレイリスト制限数（ＰＬＭＡＸ）に達しているかを判断する。プレイリスト数が枯渇している、すなわち、プレイリスト記録数がプレイリスト制限数に達している場合には（ＰＬＮＵＭ＝ＰＬＭＡＸ）、ステップ（プレイリスト結合前管理情報作成ステップ）Ｓ０１０９において、結合するプレイリストに関するプレイリスト結合管理情報ファイルを作成して、そのプレイリスト結合管理情報ファイルを記録メディア及びデータ記録装置内に記録する。その後、ステップ（プレイリスト結合ステップ）Ｓ０１１０において、複数のプレイリストを１つの結合プレイリストに結合して、結合プレイリストを記録メディアに記録する。
【００６０】
尚、本データ記録方法において、記録メディアに結合管理情報ファイルが記録されている場合には、ステップＳ１０６やステップＳ１０９では、元の結合管理情報ファイルに新たな情報を追記する。
【００６１】
また、前記結合管理情報ファイルには、本データ記録方法によって結合されたＡＶコンテンツやプレイリストに関する結合管理情報のみを記録し、ユーザが意図して結合したＡＶコンテンツやプレイリストについては、それらの情報を結合管理情報ファイルには記録しない。
【００６２】
さらに、本データ記録方法では、ステップＳ０１０６においてコンテンツ結合管理情報ファイルを作成した後に、ステップＳ０１０７において複数のＡＶコンテンツを１つの結合ＡＶコンテンツに結合しているが、ＡＶコンテンツを結合した後にＡＶコンテンツ結合管理情報ファイルを作成してもよいのは勿論である。また、プレイリストについても同様である。
【００６３】
図２は、本実施形態のデータ記録装置の全体構成のブロック図である。
【００６４】
同図において、データ記録装置２５０は、ＡＶコンテンツ２００やプレイリスト２０１が外部から入力されるデータ入力部２０２、管理情報の資源枯渇を判断する制限数判定部（コンテンツ制限数判断部、プレイリスト制限数判断部）２０３、結合管理情報ファイルを作成したり、コンテンツの結合やプレイリストの結合を行う結合管理情報作成部（コンテンツ結合前管理情報作成部、コンテンツ結合後管理情報作成部、プレイリスト結合前管理情報作成部、プレイリスト結合後管理情報作成部）２０４、結合管理情報ファイルが格納される結合管理情報記憶部（コンテンツ結合前管理情報記録部、プレイリスト結合前管理情報記録部）２０５、記録メディアＩＤに基づいて、結合管理情報記憶部２０５に格納されている結合管理情報ファイルを検索する記録メディアＩＤ解析部（コンテンツ結合前管理情報検索部、プレイリスト結合前管理情報検索部）２０６、記録メディア内の結合管理情報ファイルの取得、ＡＶコンテンツやプレイリストの結合、結合管理情報ファイルの記録等を行うデータ編集部（コンテンツ結合前管理情報比較部、プレイリスト結合前管理情報比較部、コンテンツ結合前管理情報再記録部、プレイリスト結合前管理情報再記録部、管理情報読み出し部、コンテンツ結合部、プレイリスト結合部）２０７、記録メディアに固有のメディアＩＤを取得する記録メディアＩＤ取得部（記録メディア固有情報取得部）２０８、記録メディア２１０に前記ＡＶコンテンツ２００やプレイリスト２０１を記録するデータ記録部２０９を備える。
【００６５】
以下に、本データ記録装置の動作について説明する。
【００６６】
ＡＶコンテンツ２００やプレイリスト２０１がデータ入力部２０２に入力されて、記録メディア２１０への記録要求が発生すると、まず、記録メディアＩＤ取得部２０８において、前記記録メディア２１０の固有情報であるメディアＩＤを取得する。次に、記録メディアＩＤ解析部２０６において、前記記録メディアＩＤ取得部２０８で取得したメディアＩＤに基づいて、結合管理情報記憶部２０５内に格納された結合管理情報ファイルを検索する。
【００６７】
前記記録メディアＩＤ解析部２０６において前記記録メディア２１０に対応した結合管理情報ファイルが検索されると、データ編集部２０７において、前記記録メディア２１０内の結合管理情報ファイルと前記結合管理情報記憶部２０５内の結合管理情報ファイルとを比較して、前記記録メディア２１０内の結合管理情報ファイルが変更又は削除されているかを判断する。
【００６８】
前記記録メディア２１０内の結合管理情報ファイルが変更又は削除されている場合には、前記データ編集部２０７によって、前記結合管理情報記憶部２０５内の結合管理情報ファイルを前記記録メディア２１０に再記録する。
【００６９】
その後、データ編集部２０７において、前記記録メディア２１０から管理情報ファイルを読み出し、制限数判定部２０３において、前記管理情報ファイルに含まれる管理情報のＡＶコンテンツ数やプレイリスト数が枯渇しているかを判断する。
【００７０】
前記制限数判断部２０３によりＡＶコンテンツ数やプレイリスト数が枯渇していると判断されたとき、結合管理情報作成部２０４において、結合管理情報ファイルを作成して、その結合管理情報ファイルを前記記録メディア２１０及び前記結合管理情報記憶部２０５に記録すると共に、前記データ編集部２０７において、複数のＡＶコンテンツを１つの結合ＡＶコンテンツに結合したり、複数のプレイリストを１つの結合プレイリストに結合する。前記結合管理情報作成部２０４で作成した結合管理情報ファイルは、データ編集部２０７によって、前記記録メディア２１０に記録される。
【００７１】
管理情報ファイルに含まれる管理情報で管理可能なＡＶコンテンツ数やプレイリスト数が枯渇していない場合や上記の動作によって管理情報の資源枯渇を解消した場合には、データ記録部２０９によって、追加記録したいＡＶコンテンツ２００やプレイリスト２０１を記録メディア２１０に記録する。
【００７２】
図３（ａ）は、本実施形態のデータ記録装置及びデータ記録方法における結合前のＡＶコンテンツの状態を示す模式図であり、同図（ｂ）は、結合後のＡＶコンテンツの状態を示す模式図である。また、同図（ｃ）は、ＡＶコンテンツの結合時に作成されたコンテンツ結合管理情報ファイルを示す模式図である。
【００７３】
記録メディアに記録された管理情報ファイルにおいて、ＡＶコンテンツ制限数が「３」（ＴＲＭＡＸ＝３）、プレイリスト数が「３」（ＰＬＭＡＸ＝３）と規定されている場合において、同図（ａ）に示すように、プレイリストＰＬ１が３つのＡＶコンテンツＴＲ１、ＴＲ２、ＴＲ３の各々のアクセスポイントを参照する構成であり、ＡＶコンテンツ記録数が「３」（ＴＲＮＵＭ＝３）、プレイリスト記録数が「１」（ＰＬＮＵＭ＝１）であったとする。
【００７４】
このとき、ＡＶコンテンツ記録数とＡＶコンテンツ制限数とが等しいので（ＴＲＮＵＭ＝ＴＲＭＡＸ＝３）、管理情報の資源枯渇が発生していると判断され、同図（ｂ）に示すように、ＡＶコンテンツの結合が行われる。
【００７５】
同図（ｂ）は、２つのＡＶコンテンツＴＲ１、ＴＲ２が１つの結合ＡＶコンテンツＴＲ１’に結合された状態を示しており、プレイリストＰＬ１は２つのＡＶコンテンツＴＲ１’、ＴＲ３のアクセスポイントを参照する構成となる。ここで、同図（ｃ）に示すように、結合ＡＶコンテンツへの結合時には、元のＡＶコンテンツＴＲ１の再生開始位置等のＡＶコンテンツ情報及びＡＶコンテンツＴＲ２の再生開始位置等のＡＶコンテンツ情報を格納したコンテンツ結合前管理情報ファイル３１と、２つのＡＶコンテンツＴＲ１、ＴＲ２の結合位置情報を格納したコンテンツ結合後管理情報ファイル３２とが、コンテンツ結合管理情報ファイル３０内に格納される。
【００７６】
図４（ａ）は、本実施形態のデータ記録装置及びデータ記録方法における結合前のプレイリストの状態を示す模式図であり、同図（ｂ）は、結合後のプレイリストの状態を示す模式図である。また、同図（ｃ）は、結合プレイリストの結合時に作成されたプレイリスト結合管理情報ファイルを示す模式図である。
【００７７】
記録メディアに記録された管理情報ファイルにおいて、プレイリスト制限数が「３」（ＰＬＭＡＸ＝３）と規定されている場合において、同図（ａ）に示すように、３つのプレイリストＰＬ１、ＰＬ２、ＰＬ３が記録されている状態（ＰＬＮＵＭ＝３）であったとする。
【００７８】
このとき、プレイリスト記録数とプレイリスト制限数とが等しいので（ＰＬＮＵＭ＝ＰＬＭＡＸ＝３）、管理情報の資源枯渇が発生していると判断され、同図（ｂ）に示すように、プレイリストの結合が行われる。
【００７９】
同図（ｂ）は、２つのプレイリストＰＬ１、ＰＬ２が１つの結合プレイリストＰＬ１’に結合された状態を示している。ここで、同図（ｃ）に示すように、結合プレイリストへの結合時には、元のプレイリストＰＬ１がアクセスを行うＡＶコンテンツ等のプレイリスト情報及びプレイリストＰＬ２がアクセスを行うＡＶコンテンツ等のプレイリスト情報を格納したプレイリスト結合前管理情報ファイル４１と、２つのプレイリストＰＬ１、ＰＬ２の結合位置情報を格納したプレイリスト結合後管理情報ファイル４２とが、プレイリスト結合管理情報ファイル４０内に記録される。
【００８０】
図５は、本実施形態のＳＤ−Ａｕｄｉｏ規格準拠のデータ記録装置におけるＳＤカード内のディレクトリ構成を示した模式図である。
【００８１】
ＳＤ−Ａｕｄｉｏ規格では、ＳＤカードのＲＯＯＴディレクトリのＳＤ＿ＡＵＤＩＯディレクトリ５００下に、各々のプレイリストの管理情報を含むＳＤ＿ＡＵＤＩＯ．ＰＬＭファイル５０１、各々のＡＶコンテンツの管理情報を含むＳＤ＿ＡＵＤＩＯ．ＴＫＭファイル５０２、各々のＡＶコンテンツ５０３、５０４を有する構成となっており、前記ＳＤ＿ＡＵＤＩＯ．ＰＬＭファイル５０１及び前記ＳＤ＿ＡＵＤＩＯ．ＴＫＭファイル５０２が管理情報ファイルに相当する。
【００８２】
前記管理情報ファイル５０１、５０２で管理可能なプレイリスト数は最大９９個、最大ＡＶコンテンツ数は９９９個である。また、前記ＳＤ＿ＡＵＤＩＯ．ＴＫＭファイル５０２には、ＡＶコンテンツごとのコーデック情報や、データサイズ、タイトル情報などのＡＶコンテンツ付加情報が記録されている。
【００８３】
本実施形態のデータ記録装置及びデータ記録方法において、管理可能なＡＶコンテンツ数が枯渇した場合には、ＳＤカードのＲＯＯＴディレクトリ下にＳＤ＿ＮＡＶＩディレクトリ５０５が作成される。そのＳＤ＿ＮＡＶＩディレクトリ５０５下には、結合されるＡＶコンテンツの結合位置情報がＳＤ＿ＡＵＤＩＯ．ＬＳＴファイル（コンテンツ結合後管理情報ファイル）５０６に記録され、結合前の元のＡＶコンテンツの管理情報がＳＤ＿ＡＵＤＩＯ．ＩＮＦファイル（コンテンツ結合前管理情報ファイル）８０７に記録される。前記ＳＤ＿ＡＵＤＩＯ．ＬＳＴファイル５０６及びＳＤ＿ＡＵＤＩＯ．ＩＮＦファイル８０７がコンテンツ結合管理情報ファイルに相当する。
【００８４】
プレイリストが結合された際には、前記コンテンツ結合管理情報ファイル５０６、５０７と同様にプレイリスト結合管理情報ファイルが作成される。
【００８５】
前記コンテンツ結合管理情報ファイル５０６、５０７やプレイリスト結合管理情報ファイルをＳＤカード内に作成することによって、ＡＶコンテンツやプレイリストが結合された場合であっても、結合前の元のＡＶコンテンツやプレイリストに直接的にアクセスすることが可能となる。
【００８６】
図６（ａ）はＳＤ＿ＡＵＤＩＯ．ＰＬＭファイル５０１、同図（ｂ）はＳＤ＿ＡＵＤＩＯ．ＴＫＭファイル５０２、同図（ｃ）はＳＤ＿ＡＵＤＩＯ．ＬＳＴファイル５０６、同図（ｄ）はＳＤ＿ＡＵＤＩＯ．ＩＮＦファイル８０７に記録された情報を示した模式図である。
【００８７】
同図（ａ）のＳＤ＿ＡＵＤＩＯ．ＰＬＭファイル５０１には、結合された結合ＡＶコンテンツＴＲ１’とＡＶコンテンツＴＲ２、ＴＲ３とがプレイリストＰＬ１に参照されていることが記録されており、同図（ｂ）のＳＤ＿ＡＵＤＩＯ．ＴＫＭファイル５０２には、結合ＡＶコンテンツＴＲ１’及びＡＶコンテンツＴＲ２、ＴＲ３の各ＡＶコンテンツの管理情報が記録されている。
【００８８】
同図（ｃ）のＳＤ＿ＡＵＤＩＯ．ＬＳＴファイル５０６には、結合ＡＶコンテンツＴＲ１’が２つのＡＶコンテンツＴＲ１、ＴＲｍを結合して作成されたＡＶコンテンツであることを示す結合位置情報が記録されており、同図（ｄ）のＳＤ＿ＡＵＤＩＯ．ＩＮＦファイル８０７には、結合ＡＶコンテンツＴＲ１’への結合前に前記ＳＤ＿ＡＵＤＩＯ．ＴＫＭファイル５０２に記録されていた２つのＡＶコンテンツＴＲ１、ＴＲｍの各々の管理情報が記録されている。
【００８９】
上記のように、本実施形態では、管理情報の資源枯渇を解消する際に複数のＡＶコンテンツＴＲ１、ＴＲ２を１つの結合ＡＶコンテンツＴＲ１’に結合した場合であっても、結合前の元のＡＶコンテンツＴＲ１、ＴＲ２の管理情報等をコンテンツ結合管理情報ファイル５０６、５０７に格納するので、結合ＡＶコンテンツＴＲ１’への結合後も元のＡＶコンテンツＴＲ１、ＴＲ２の管理情報等を用いることによって、ユーザが見かけ上コンテンツが結合される前の状態を参照でき、結合前のＡＶコンテンツＴＲ１、ＴＲ２に直接的にアクセスすることが可能となる。
【００９０】
また、ＡＶコンテンツのみならずプレイリストについても、複数のプレイリストＰＬ１、ＰＬ２を１つの結合プレイリストＰＬ１’に結合した場合であっても、プレイリスト結合管理情報ファイルを作成するので、結合前のプレイリストＰＬ１、ＰＬ２への直接的なアクセスが可能となる。
【００９１】
尚、本実施形態では、結合するＡＶコンテンツの数を「２」としているが、任意に設定してもよいのは勿論である。例えば、ＡＶコンテンツ数の枯渇状態を解消する際に、２つのＡＶコンテンツ数の空きを設ける場合、３つのＡＶコンテンツを１つの結合ＡＶコンテンツに結合してもよいし、４つのＡＶコンテンツを２つの結合ＡＶコンテンツに結合してもよい。
【００９２】
また、ＡＶコンテンツ数の枯渇状態を解消するためにＡＶコンテンツの結合を行う際には次回以降の結合の手間を削減するため、常にＡＶコンテンツ制限数から指定個数分の余裕を持って結合するようにしても良い。例えば、ＡＶコンテンツの結合の際は常に５つ分の空きができるように結合させるようにすることができる。上記のようなＡＶコンテンツの結合の設定は、データ記録装置によって固定されていてもよいし、ユーザが任意に設定してもよいのは勿論である。
【００９３】
さらに、ＡＶコンテンツの結合を複数回行う場合には、既に結合した結合ＡＶコンテンツを結合対象とするか否かを設定してもよく、結合対象としないときには、結合されていないＡＶコンテンツを優先的に結合対象にする。既に結合した結合コンテンツを再び結合対象にしてもよいときには、結合する回数に制限を設けることもできる。上記のようなＡＶコンテンツの結合回数の設定はデータ記録装置によって固定されていてもよいし、ユーザが任意に設定してもよいのは勿論である。
【００９４】
（第２の実施形態）
図７は、本発明の第２の実施形態のデータ記録方法の処理フロー図である。
【００９５】
本実施形態のデータ記録方法が図１に示した第１の実施形態のデータ記録方法と異なる点は、ステップＳ０１０５とステップＳ０１０６との間にステップＳ０７００〜Ｓ０７０２の処理を行うと共に、ステップＳ０１０８とステップＳ０１０９との間にステップＳ０７０３〜ステップＳ０７０５の処理を行う点のみである。その他の処理については、第１の実施形態と同様であるので、その説明は省略する。
【００９６】
ステップＳ０１０５において、ＡＶコンテンツ数が枯渇している判断された場合には、ステップ（コンテンツ付加情報取得ステップ）Ｓ０７００において、管理情報ファイルに含まれる管理情報であるＡＶコンテンツ付加情報を取得する。ここで、前記ＡＶコンテンツ付加情報として、ＡＶコンテンツのジャンルの情報を取得する。
【００９７】
ステップ（コンテンツ付加情報解析ステップ）Ｓ０７０１では、前記ＡＶコンテンツ付加情報に基づいて、記録メディアに記録されているＡＶコンテンツの関連性を解析し、ステップＳ０７０２において、前記ステップＳ０７０１において関連があると判断された複数のＡＶコンテンツを結合対象として選択し、ステップＳ０１０６、Ｓ０１０７において、その選択されたＡＶコンテンツを結合ＡＶコンテンツに結合する。
【００９８】
また、ステップＳ０１０８において、プレイリスト数が枯渇していると判断された場合には、ステップＳ０７０３において、管理情報ファイルに含まれる管理情報であるプレイリスト付加情報を取得する。ここで、前記プレイリスト付加情報として、プレイリストのジャンルの情報を取得する。
【００９９】
ステップＳ０７０４では、前記プレイリスト付加情報に基づいて、記録メディアに記録されているプレイリストの関連性を解析し、ステップＳ０７０５において、前記ステップＳ０７０４において関連があると判断された複数のプレイリストを結合対象として選択し、ステップＳ０１０９、Ｓ０１１０において、その選択されたプレイリストを結合プレイリストに結合する。
【０１００】
尚、本実施形態のデータ記録装置は、図２に示した第１の実施形態のデータ記録装置において、データ編集部２０７によって、コンテンツ付加情報取得ステップＳ０７００やプレイリスト付加情報取得ステップＳ０７０３の付加情報取得の処理、コンテンツ付加情報解析ステップＳ０７０１やプレイリスト付加情報解析ステップＳ０７０４の付加情報解析の処理、及びステップＳ０７０２、Ｓ０７０５の処理を行わせることによって実現可能である。
【０１０１】
図８（ａ）は、本実施形態のデータ記録装置及びデータ記録方法における結合前のＡＶコンテンツの状態を示す模式図であり、同図（ｂ）は、結合後のＡＶコンテンツの状態を示す模式図である。また、同図（ｃ）は、ＡＶコンテンツの結合時に作成されたコンテンツ結合管理情報ファイルを示す模式図である。
【０１０２】
記録メディアに記録された管理情報ファイルにおいて、ＡＶコンテンツ制限数が「３」（ＴＲＭＡＸ＝３）、プレイリスト数が「３」（ＰＬＭＡＸ＝３）と規定されている場合において、同図（ａ）に示すように、プレイリストＰＬ１が３つのＡＶコンテンツＴＲ１、ＴＲ２、ＴＲ３の各々のアクセスポイントを参照する構成であり、ＡＶコンテンツ記録数が「３」（ＴＲＮＵＭ＝３）、プレイリスト記録数が「１」（ＰＬＮＵＭ＝１）であったとする。ここで、前記ＡＶコンテンツＴＲ１のジャンルが「ＲＯＣＫ」、前記ＡＶコンテンツＴＲ２のジャンルが「ＰＯＰＳ」、前記ＡＶコンテンツＴＲ３のジャンルが「ＲＯＣＫ」に分類されるとする。
【０１０３】
ここで、ＡＶコンテンツ記録数とＡＶコンテンツ制限数とが等しいので（ＴＲＮＵＭ＝ＴＲＭＡＸ＝３）、管理情報の資源枯渇が発生していると判断され、同図（ｂ）に示すように、ＡＶコンテンツの結合が行われる。この際、管理情報ファイルに記録されている各ＡＶコンテンツのＡＶコンテンツ付加情報であるジャンルの情報を読み出し、このジャンル情報に基づいて同一のジャンルに分類されるＡＶコンテンツ同士を優先的に結合する。
【０１０４】
同図（ｂ）は、ジャンルが「ＲＯＣＫ」である２つのＡＶコンテンツＴＲ１、ＴＲ３が１つのＡＶコンテンツＴＲ１’に結合された状態を示しており、プレイリストＰＬ１は２つのＡＶコンテンツＴＲ１’、ＴＲ２のアクセスポイントを参照する構成となる。ここで、同図（ｃ）に示すように、結合ＡＶコンテンツへの結合時には、元のＡＶコンテンツＴＲ１の再生開始位置等のＡＶコンテンツ情報及びＡＶコンテンツＴＲ３の再生開始位置等のＡＶコンテンツ情報を格納したコンテンツ結合前管理情報ファイル８１と、２つのＡＶコンテンツＴＲ１、ＴＲ３の結合位置情報を格納したコンテンツ結合後管理情報ファイル８２とが、コンテンツ結合管理情報ファイル８０に記録される。
【０１０５】
図９（ａ）は、本実施形態のデータ記録装置及びデータ記録方法における結合前のプレイリストの状態を示す模式図であり、同図（ｂ）は、結合後のプレイリストの状態を示す模式図である。また、同図（ｃ）は、プレイリスト結合時に作成されたプレイリスト結合管理情報ファイルを示す模式図である。
【０１０６】
記録メディアに記録された管理情報ファイルにおいて、プレイリスト制限数が３（ＰＬＭＡＸ＝３）と規定されている場合において、同図（ａ）に示すように、３つのプレイリストＰＬ１、ＰＬ２、ＰＬ３が記録されている状態（ＰＬＮＵＭ＝３）であったとする。ここで、前記プレイリストＰＬ１のアーティストが「ＡＡＡ」、前記プレイリストＰＬ２のアーティストが「ＢＢＢ」、前記プレイリストＰＬ３のアーティストが「ＡＡ」に分類されるとする。
【０１０７】
このとき、プレイリスト記録数とプレイリスト制限数とが等しいので（ＰＬＮＵＭ＝ＰＬＭＡＸ＝３）、管理情報の資源枯渇が発生していると判断され、同図（ｂ）に示すように、プレイリストの結合が行われる。この際、管理情報ファイルに記録されている各プレイリストのプレイリスト付加情報であるアーティストの情報を読み出し、このアーティスト情報に基づいて同一のアーティストに分類されるプレイリスト同士を優先的に結合する。
【０１０８】
同図（ｂ）は、アーティストが「ＡＡＡ」である２つのプレイリストＰＬ１、ＰＬ３が１つの結合プレイリストＰＬ１’に結合された状態を示している。ここで、同図（ｃ）に示すように、結合プレイリストへの結合時には、元のプレイリストＰＬ１がアクセスを行うＡＶコンテンツ等のプレイリスト情報及びプレイリストＰＬ３がアクセスを行うＡＶコンテンツ等のプレイリスト情報を格納したプレイリスト結合前管理情報ファイル９１と、２つのプレイリストＰＬ１、ＰＬ３の結合位置情報を格納したプレイリスト結合後管理情報ファイル９２とが、プレイリスト結合管理情報ファイル９０に記録される。
【０１０９】
上記のように、本実施形態では、ＡＶコンテンツのジャンル情報やプレイリストのアーティスト情報に基づいて結合処理を行うので、関連性を持つＡＶコンテンツ同士やプレイリスト同士が結合されることによって、ユーザが意図しないもの同士が結合されることが防止されると共に、ＡＶコンテンツ付加情報やプレイリスト付加情報による優先順位を予め設定しておくことによって、その優先順位に従ってＡＶコンテンツやプレイリストを結合することが可能となる。
【０１１０】
尚、本実施形態では、関連するＡＶコンテンツ付加情報やプレイリスト付加情報によってＡＶコンテンツやプレイリストを結合したが、関連するＡＶコンテンツ付加情報やプレイリスト付加情報を有するＡＶコンテンツやプレイリストが存在しない場合は、日時情報によって優先的に結合してもよい。例えば、ＡＶコンテンツが記録された日付やＡＶコンテンツが最後に再生された日付を用いて優先的に結合してもよい。
【０１１１】
また、ＡＶコンテンツのデータサイズによって優先的に結合してもよい。例えば、ＡＶコンテンツのデータサイズの小さなものから優先的に結合してもよく、その他の基準によって結合するＡＶコンテンツやプレイリストを優先的に結合してもよいのは勿論である。
【０１１２】
（第３の実施形態）
図１０は、本発明の第３の実施形態のデータ記録方法の処理フロー図である。
【０１１３】
同図において、まず、ステップ（管理情報読み出しステップ）Ｓ０１０４において、記録メディアに記録された管理情報ファイルを読み出す。
【０１１４】
ステップ（コンテンツ制限数判断ステップ）Ｓ０１０５では、前記管理情報ファイルに含まれる管理情報であるＡＶコンテンツ記録数（ＴＲＮＵＭ）がＡＶコンテンツ制限数（ＴＲＭＡＸ）に達しているか、すなわちＡＶコンテンツ数が枯渇しているかを判断する。ＡＶコンテンツ数が枯渇している場合には、ステップ（インデックス制限数判断ステップ）Ｓ１０００において、前記管理情報ファイルに含まれる管理情報であるインデックス記録数（ＩＮＮＵＭ）がインデックス制限数（ＩＮＭＡＸ）に達していないか、すなわちインデックス数が枯渇していないかを判断する。ここで、インデックスとは、ＣＤＤＡ規格やＤＶＤ−Ａｕｄｉｏ規格において規定されているＡＶコンテンツよりもさらに細かいアクセス単位である。
【０１１５】
前記ステップＳ１０００においてインデックス数が枯渇していない場合には、ステップ（インデックス情報作成ステップ）Ｓ１００１において、結合する元のＡＶコンテンツのインデックス情報を、結合後の結合ＡＶコンテンツのインデックス情報に記録する。その後、ステップ（コンテンツ結合ステップ）Ｓ０１０７において、複数のＡＶコンテンツを１つの結合ＡＶコンテンツに結合する。
【０１１６】
尚、図７の第２の実施形態のデータ記録方法と同様に、前記ステップＳ１０００と前記ステップＳ１００１との間に図７のステップＳ０７００〜ステップＳ０７０２の処理を追加して、ＡＶコンテンツ付加情報に基づいて、結合するＡＶコンテンツを選択してもよい。
【０１１７】
また、本実施形態のデータ記録装置は、図２に示した第１の実施形態のデータ記録装置において、制限数判定部２０３によってインデックス制限数判断ステップＳ１０００の処理を行わせると共に、結合管理情報作成部２０４によってインデックス情報作成ステップＳ１００１を処理することによって実現可能である。ここで、図１の第１の実施形態のデータ記録方法と同様のステップについては、データ記録装置との対応を省略している。
【０１１８】
図１１（ａ）は、本実施形態のデータ記録方法における結合前のＡＶコンテンツの状態を示す模式図であり、同図（ｂ）は、結合後のＡＶコンテンツの状態を示す模式図である。
【０１１９】
記録メディアに記録された管理情報ファイルにおいて、ＡＶコンテンツ制限数が「４」（ＴＲＭＡＸ＝４）、プレイリスト制限数が「３」（ＰＬＭＡＸ＝３）、インデックス制限数が「１０」（ＩＮＭＡＸ＝１０）と規定されている場合において、同図（ａ）に示すように、プレイリストＰＬ１が４つのＡＶコンテンツＴＲ１、ＴＲ２、ＴＲ３、ＴＲ４の各々のアクセスポイントを参照する構成であり、かつ前記ＡＶコンテンツＴＲ１が２つのインデックスＩｎｄｅｘ１１、Ｉｎｄｅｘ１２、前記ＡＶコンテンツＴＲ２が１つのインデックスＩｎｄｅｘ２１、前記ＡＶコンテンツＴＲ３が３つのインデックスＩｎｄｅｘ３１、Ｉｎｄｅｘ３２、Ｉｎｄｅｘ３３、前記ＡＶコンテンツＴＲ４が１つのインデックスＩｎｄｅｘ４１を持つ構成であったとする。この際、プレイリスト記録数が「１」（ＰＬＮＵＭ＝１）、ＡＶコンテンツ記録数が「４」（ＴＲＮＵＭ＝４）、インデックス記録数が「７」（ＩＮＮＵＭ＝７）であり、ＡＶコンテンツ記録数とＡＶコンテンツ制限数とが等しいので（ＴＲＮＵＭ＝ＴＲＭＡＸ＝４）、ＡＶコンテンツ数の資源枯渇が発生していると共にインデックス数の資源枯渇が発生していないので（ＩＮＮＵＭ＜ＩＮＭＡＸ）、同図（ｂ）に示すように、ＡＶコンテンツの結合が行われる。
【０１２０】
同図（ｂ）は、２つのＡＶコンテンツＴＲ２、ＴＲ３が１つの結合ＡＶコンテンツＴＲ２’に結合された状態を示しており、プレイリストＰＬ１は３つのＡＶコンテンツＴＲ１、ＴＲ２’、ＴＲ４のアクセスポイントを参照する構成となる。ここで、ＡＶコンテンツＴＲ２、ＴＲ３の結合時には、結合するＡＶコンテンツＴＲ２、ＴＲ３のインデックスＩｎｄｅｘ２１、Ｉｎｄｅｘ３１、Ｉｎｄｅｘ３２、Ｉｎｄｅｘ３３が結合後の結合ＡＶコンテンツＴＲ２’のインデックス情報に記録される。すなわち、前記インデックスＩｎｄｅｘ２１はインデックスＩｎｄｅｘ２１’、前記インデックスＩｎｄｅｘ３１はインデックスＩｎｄｅｘ２２’、前記インデックスＩｎｄｅｘ３２はインデックスＩｎｄｅｘ２３’、前記インデックスＩｎｄｅｘ３３はインデックスＩｎｄｅｘ２４’として、結合後の結合ＡＶコンテンツＴＲ２’のインデックス情報に記録される。
【０１２１】
上記のように、本実施形態では、新たにコンテンツ結合管理情報ファイルを作成せずに、結合後の結合ＡＶコンテンツＴＲ２’のインデックス情報に、結合される元のＡＶコンテンツＴＲ２、ＴＲ３のインデックス情報を記録するので、結合後の結合ＡＶコンテンツＴＲ２’のインデックスＩｎｄｅｘ２１’〜Ｉｎｄｅｘ２４’を用いることによって、結合前のＡＶコンテンツＴＲ２、ＴＲ３に直接的にアクセスすることが可能となる。
【０１２２】
（第４の実施形態）
図１２は、本発明の第４の実施形態のデータ再生方法の処理フロー図である。
【０１２３】
同図において、データ再生装置に記録メディアが挿入された際には、ステップ（コンテンツ結合前管理情報確認ステップ）Ｓ１２００において、記録メディア内に結合管理情報ファイルが存在するかを確認する。前記ステップＳ１２００で結合管理情報ファイルが存在したときにはステップＳ１２０１に進み、存在しなかったときにはステップＳ１２０３に進む。
【０１２４】
ステップ（コンテンツ結合前管理情報解析ステップ）Ｓ１２０１では、記録メディア内に格納された結合管理情報ファイルの解析を行う。ここでは、例えば記録メディアに記録された結合ＡＶコンテンツを構成する元のＡＶコンテンツがどのＡＶコンテンツであるかを解析する。その後、ステップ（コンテンツ結合管理情報提示ステップ）Ｓ１２０２において、前記ステップＳ１２０１で解析したＡＶコンテンツやプレイリストの結合位置情報や、元のＡＶコンテンツやプレイリストの情報を提示する。
【０１２５】
ステップＳ１２０３では記録メディアに記録された管理情報ファイルを解析し、ステップＳ１２０４では前記ステップＳ１２０３で解析した解析結果を提示する。
【０１２６】
図１３は、本実施形態のデータ再生装置の全体構成のブロック図である。
【０１２７】
同図において、データ再生装置１３５０は、結合情報管理ファイルが存在するを確認する結合情報管理ファイル確認部（コンテンツ結合前管理情報確認部）１３０１、結合情報管理ファイルを解析する結合情報管理ファイル解析部（コンテンツ結合前管理情報解析部）１３０２、管理情報ファイルを解析する結合後ＡＶコンテンツ情報管理ファイル解析部１３０３、ＡＶコンテンツやプレイリストの再生を制御するＡＶコンテンツデータ再生制御部１３０４、ＡＶコンテンツの表示データを作成する表示データ出力部１３０５、前記表示データ作成部７０５で作成した表示データを表示する表示出力部（コンテンツ結合前管理情報提示部）１３０６、キー入力されたデータを解析する入力データ解析部１３０７、ユーザのキー入力を受付けるキー入力部１３０８、ＡＶコンテンツの音声データを作成する音声データ作成部１３０９、音声データを出力する音声出力部１３１０とを備える。
【０１２８】
以下に、本データ再生装置の動作について説明する。
【０１２９】
記録メディア１３００がデータ記録再生装置１３５０に挿入されると、結合情報管理ファイル確認部１３０１において、前記記録メディア１３００内に結合情報管理ファイルが存在するかを確認する。結合管理情報ファイルが存在する場合は、結合情報管理ファイル解析部１３０２において、結合情報管理ファイルの解析を行い、その解析結果をＡＶコンテンツデータ再生制御部１３０４に入力する。
【０１３０】
結合管理情報ファイルが存在しない場合は、結合後ＡＶコンテンツ情報管理ファイル解析部１３０３において、管理情報ファイルの解析を行い、その解析結果を前記ＡＶコンテンツデータ再生制御部１３０４に入力する。
【０１３１】
前記ＡＶコンテンツデータ再生制御部１３０４では、管理情報ファイル及び、前記結合情報管理ファイル解析部１３０２や前記結合後ＡＶコンテンツ情報管理ファイル解析部１３０３での解析結果に基づいて、表示に必要な表示データを表示データ出力部１３０５に入力する。前記表示データ出力部１３０５では、取得した表示データを表示出力部１３０６で表示可能なデータに変換し、前記表示出力部１３０６において、その表示データを提示する。
【０１３２】
ユーザは表示出力部１３０６に提示された情報から再生したいＡＶコンテンツやプレイリストをキー入力部１３０８を用いて選択する。入力データ解析部１３０７では、キー入力部１３０８から取得したキー入力データを解析し、キー入力情報をＡＶコンテンツデータ再生制御部１３０４に通知する。ＡＶコンテンツデータ再生制御部１３０４では、取得したキー入力情報から、選択されたＡＶコンテンツの再生開始を音声データ作成部１３０９に通知する。音声データ作成部１３０９では、選択されたＡＶコンテンツの音声出力データを作成し、音声出力部１３１０において出力を行う。
【０１３３】
図１４は、本実施形態のデータ再生装置におけるＡＶコンテンツ情報の読み出しの模式図である。
【０１３４】
同図において、プレイリストＰＬ１がＡＶコンテンツＴＲ１とＡＶコンテンツＴＲ３とを結合した結合ＡＶコンテンツＴＲ１’及びＡＶコンテンツＴＲ２のアクセスポイントを参照する構成であり、管理情報ファイルにはＡＶコンテンツＴＲ１’、ＴＲ２の管理情報が格納されており、結合ＡＶコンテンツＴＲ１’に結合されたＡＶコンテンツＴＲ１、ＴＲ３の管理情報が結合管理情報ファイルに記録されているとする。
【０１３５】
ここで、ユーザにＡＶコンテンツの情報を通知する際には、結合管理情報ファイル内に前記結合ＡＶコンテンツＴＲ１’に関する結合位置情報と、元のＡＶコンテンツＴＲ１、ＴＲ３の管理情報が存在するので、前記結合ＡＶコンテンツＴＲ１’に結合された元の２つのＡＶコンテンツＴＲ１、ＴＲ３の情報をユーザに通知する。
【０１３６】
また、ＡＶコンテンツＴＲ２の情報は、結合管理情報ファイル内に前記ＡＶコンテンツＴＲ２に関する情報が存在しないので、管理情報ファイルに格納されたＡＶコンテンツＴＲ２の管理情報をユーザに通知する。
【０１３７】
上記のように、本実施形態では、複数のＡＶコンテンツが１つの結合ＡＶコンテンツに結合された場合であっても、結合管理情報ファイルを参照することによって、結合前の元のＡＶコンテンツＴＲ１、ＴＲ３に直接的にアクセスすることが可能となる。
【０１３８】
尚、本実施形態では、結合管理情報ファイルが存在する場合に、そのファイルに格納された情報を優先的に提示するようにしたが、ユーザが選択することによって、結合管理情報ファイルが存在する場合であっても、管理情報ファイルに記録されている結合後のＡＶコンテンツの状態を提示させてもよいのは勿論である。
【０１３９】
また、上記の第３の実施形態のデータ記録装置及びデータ記録方法によって、結合後の結合ＡＶコンテンツのインデックス情報に結合前の複数のＡＶコンテンツのインデックス情報を記録した場合には、このインデックス情報をユーザに提示することによって、結合前のＡＶコンテンツへの直接的なアクセスが可能となる。
【産業上の利用可能性】
【０１４０】
以上説明したように、本発明は、コンテンツやプレイリストを結合した場合であっても、結合前の元のコンテンツやプレイリストに直接的にアクセスすることが可能であるので、特に、データ記録装置及びデータ再生装置、並びにデータ記録方法及びデータ再生方法等として有用である。
【図面の簡単な説明】
【０１４１】
【図１】本発明の第１の実施形態のデータ記録方法を示すフローチャート図である。
【図２】同実施形態のデータ記録方法の要部構成を示すブロック図である。
【図３】（ａ）は本データ記録装置及び本データ記録方法における結合前のＡＶコンテンツの状態を示す模式図、同図（ｂ）は結合後のＡＶコンテンツの状態を示す模式図、同図（ｃ）はＡＶコンテンツの結合時に作成されたコンテンツ結合管理情報ファイルを示す模式図である。
【図４】（ａ）は本データ記録装置及び本データ記録方法における結合前のプレイリストの状態を示す模式図、同図（ｂ）は結合後のプレイリストの状態を示す模式図、同図（ｃ）はプレイリストの結合時に作成されたプレイリスト結合管理情報ファイルを示す模式図である。
【図５】本実施形態のＳＤ−Ａｕｄｉｏ規格準拠のデータ記録装置及びデータ記録方法におけるＳＤカード内のディレクトリ構成を示した模式図である。
【図６】（ａ）はＳＤ＿ＡＵＤＩＯ．ＰＬＭファイル５０１、同図（ｂ）はＳＤ＿ＡＵＤＩＯ．ＴＫＭファイル５０２、同図（ｃ）はＳＤ＿ＡＵＤＩＯ．ＬＳＴファイル５０６、同図（ｄ）はＳＤ＿ＡＵＤＩＯ．ＩＮＦファイル８０７に記録された各々の情報を示した模式図である。
【図７】本発明の第２の実施形態のデータ記録方法を示すフローチャート図である。
【図８】（ａ）は本データ記録装置及び本データ記録方法における結合前のＡＶコンテンツの状態を示す模式図、同図（ｂ）は結合後のＡＶコンテンツの状態を示す模式図、同図（ｃ）はＡＶコンテンツの結合時に作成されたコンテンツ結合管理情報ファイルを示す模式図である。
【図９】（ａ）は本データ記録装置及び本データ記録方法における結合前のプレイリストの状態を示す模式図、同図（ｂ）は結合後のプレイリストの状態を示す模式図、同図（ｃ）はプレイリスト結合時に作成されたプレイリスト結合管理情報ファイルを示す模式図である。
【図１０】本発明の第３の実施形態のデータ記録方法を示すフローチャート図である。
【図１１】（ａ）は本データ記録装置及び本データ記録方法における結合前のＡＶコンテンツの状態を示す模式図、同図（ｂ）は結合後のＡＶコンテンツの状態を示す模式図である。
【図１２】本発明の第４の実施形態のデータ再生方法を示すフローチャート図である。
【図１３】同実施形態のデータ再生装置の要部構成を示すブロック図である。
【図１４】本データ再生装置及び本データ再生方法におけるＡＶコンテンツ情報の読み出しを示す模式図である。
【図１５】従来のデータ記録装置における管理情報ファイルの資源枯渇解消方法を示すフローチャート図である。
【図１６】（ａ）は従来のデータ記録装置における結合前のＡＶコンテンツの状態を示す模式図、同図（ｂ）は結合後のＡＶコンテンツの状態を示す模式図である
【符号の説明】
【０１４２】
Ｓ０１００    記録メディア固有情報取得ステップ
Ｓ０１０１    コンテンツ結合前管理情報検索ステップ
Ｓ０１０２    コンテンツ結合前管理情報比較ステップ
Ｓ０１０３    コンテンツ結合前管理情報再記録ステップ
Ｓ０１０４    管理情報読み出しステップ
Ｓ０１０５    コンテンツ制限数判断ステップ
Ｓ０１０６    コンテンツ結合前管理情報作成ステップ
Ｓ０１０７    コンテンツ結合ステップ
Ｓ０１０８    プレイリスト制限数判断ステップ
Ｓ０１０９    プレイリスト結合前管理情報作成ステップ
Ｓ０１１０    プレイリスト結合ステップ
２０３        制限数判定部（コンテンツ制限数判断部、プレイリスト制限数判断部）
２０４        結合管理情報作成部（コンテンツ結合前管理情報作成部、コンテンツ結合後管理情報作成部、プレイリスト結合前管理情報作成部、プレイリスト結合後管理情報作成部）
２０５        結合管理情報記憶部（コンテンツ結合前管理情報記録部、プレイリスト結合前管理情報記録部）
２０６        記録メディアＩＤ解析部（コンテンツ結合前管理情報検索部、プレイリスト結合前管理情報検索部）
２０７        データ編集部（コンテンツ結合前管理情報比較部、プレイリスト結合前管理情報比較部、コンテンツ結合前管理情報再記録部、プレイリスト結合前管理情報再記録部、管理情報読み出し部、コンテンツ結合部、プレイリスト結合部）
２０８        記録メディアＩＤ取得部（記録メディア固有情報取得部）
【図１】
2008117467.tif 000003
【図２】
2008117467.tif 000004
【図３】
2008117467.tif 000005
【図４】
2008117467.tif 000006
【図５】
2008117467.tif 000007
【図６】
2008117467.tif 000008
【図７】
2008117467.tif 000009
【図８】
2008117467.tif 000010
【図９】
2008117467.tif 000011
【図１０】
2008117467.tif 000012
【図１１】
2008117467.tif 000013
【図１２】
2008117467.tif 000014
【図１３】
2008117467.tif 000015
【図１４】
2008117467.tif 000016
【図１５】
2008117467.tif 000017
【図１６】
2008117467.tif 000018